(57)【要約】【課題】パネル枠材を前面部から取り外すことなくパネルの交換を行い得るようにし、交換作業の容易化を図り得る遊技機を提供する。【解決手段】パネル枠材２０の一辺に、外向きに略Ｌ字状のフック部２６を有する第１の固定片２１が、パネル枠材の一辺と対向する他の一辺に、先端に係止爪部２７を有する第２の固定片２２が各々形成されているとともに、遊技機の前面部１に、第１及び第２の固定片に対応して各々第１及び第２の開口部３１，３２が形成され、この第１の開口部に第１の固定片を挿入した後第２の開口部に第２の固定片を挿入することによりパネル枠材が遊技機の前面部に取り付けられる。第１の固定片を、第２の固定片よりも遊技機の前面部側への突出長さが大きくなるように設けるとともに、第１の固定片に、フック部の折れ曲がり方向と反対の内向きに突出する突起部３３を形成する。【選択図】      図３
2004254967.tif 000002
【特許請求の範囲】
【請求項１】
内側にパネルを装着するパネル枠材が遊技機の前面部に取り付けられる遊技機において、
上記パネル枠材の一辺には外向きに略Ｌ字状のフック部を有する第１の固定片が、上記パネル枠材の一辺と対向する他の一辺には先端に係止爪部を有する第２の固定片がそれぞれ形成されているとともに、遊技機の前面部には上記第１及び第２の固定片に対応してそれぞれ第１及び第２の開口部が形成され、この第１の開口部に第１の固定片を挿入した後第２の開口部に第２の固定片を挿入することによりパネル枠材が遊技機の前面部に取り付けられており、
上記第１の固定片は、第２の固定片よりも遊技機の前面部側への突出長さが大きく設定されているとともに、この第１の固定片にはフック部の折れ曲がり方向と反対の内向きに突出する突起部が形成されていることを特徴とする遊技機。
【請求項２】
上記パネル枠材は矩形状に形成されてなり、このパネル枠材の下辺に上記第１の固定片が、パネル枠材の上辺に上記第２の固定片がそれぞれ形成されている請求項１記載の遊技機。
【請求項３】
上記パネル枠材の下辺にはパネルの下縁を挟持する溝部が形成されており、遊技機の前面部にはパネル枠材を取り付けた状態でこのパネル枠材との間にパネルを挟持する押え部が設けられている請求項２記載の遊技機。
【発明の詳細な説明】
【０００１】
【発明の属する技術分野】
本発明は、スロットマシンなどの遊技機に関し、特に、内側にパネルを装着するパネル枠材を遊技機の前面部に取り付ける場合の構造に係わる。
【０００２】
【従来の技術】
一般に、スロットマシンなどの遊技機においては、その前面部に装飾などのためのパネルがパネル枠材を介して取り付けられている。例えば、スロットマシンの場合、前扉の下部に矩形状の下部パネル（タイトルパネルともいう）がパネル枠材を介して取り付けられている。
【０００３】
そして、このようなパネルは、一定の期間を定め、遊技者のニーズなどに合わせて交換を行っているが、この交換作業を容易にするために、遊技機の前面部に対するパネルないしパネル枠材の取付構造を改良したものが種々提案され、公知になっている。例えば特許文献１に開示されるように、スロットマシンの下部パネルのパネル枠材の下辺に、外向き（下向き）に略Ｌ字状のフック部を有する第１の固定片（支持固定片）を、パネル枠材の上辺に先端に係止爪部を有する第２の固定片（突出固定片）をそれぞれ２個ずつ形成するとともに、スロットマシンの前扉に上記第１及び第２の固定片に対応してそれぞれ第１及び第２の開口部を２個ずつ形成し、この第１の開口部に第１の固定片を挿入した後第２の開口部に第２の固定片を挿入することにより、パネル枠材を前扉に取り付けるようにしたものが知られている。尚、特許文献１では、下部パネルのパネル本体とパネル枠材とを一体成形しているが、パネル本体つまりパネルとパネル枠材とは別個に形成するのが普通である。この場合、パネルは、パネル枠材に対しビス止めにより取り外し可能に固定されている。
【０００４】
【特許文献１】
特開２０００−２４５８９３号公報（第２−４頁、図１−図６）
【０００５】
【発明が解決しようとする課題】
ところが、上記例示のものでは、パネルの交換時にパネル枠材を前扉から取り外して一旦別の作業台に移した後、パネル枠材からビスを緩めてパネルを外し、新たなパネルと取り替えてビス止めにより固定し、しかる後再びパネル枠材を前扉に取り付けるという一連の作業が必要である。このため、交換作業の容易化を十分に図ることはできない。特に、スロットマシンの下部パネルの場合、前扉側に照明具の蛍光灯が装着されているため、パネル枠材の取り外し又は取り付けの際にパネル枠材を蛍光灯に当てないように慎重に作業を行う必要があり、この点からも一層の改善が要請されている。
【０００６】
本発明はかかる点に鑑みてなされたものであり、その課題とするところは、特に、パネル枠材の対向する二辺にそれぞれ形成した固定片によりパネル枠材を遊技機の前面部に取り付けるものにおいて、パネル枠材を前面部から取り外すことなくパネルの交換を行い得るようにし、交換作業の容易化を図り得る遊技機を提供せんとするものである。
【０００７】
【課題を解決するための手段】
上記の課題を解決するため、請求項１に係る発明は、内側にパネルを装着するパネル枠材が遊技機の前面部に取り付けられる遊技機として、上記パネル枠材の一辺に、外向きに略Ｌ字状のフック部を有する第１の固定片が、上記パネル枠材の一辺と対向する他の一辺に、先端に係止爪部を有する第２の固定片がそれぞれ形成されているとともに、遊技機の前面部に、上記第１及び第２の固定片に対応してそれぞれ第１及び第２の開口部が形成され、この第１の開口部に第１の固定片を挿入した後第２の開口部に第２の固定片を挿入することによりパネル枠材が遊技機の前面部に取り付けられていることを前提とする。そして、上記第１の固定片を、第２の固定片よりも遊技機の前面部側への突出長さが大きくなるように設けるとともに、この第１の固定片に、フック部の折れ曲がり方向と反対の内向きに突出する突起部を形成する構成とする。
【０００８】
この構成では、パネルの交換時にパネル枠材の第２の固定片を遊技機前面部の第２の開口部から引き抜いてパネル枠材を半開き状態に傾けたときには、第１の固定片の遊技機前面側への突出長さが第２の固定片のそれよりも大きく設定されている上、この第１の固定片にフック部の折れ曲がり方向と反対の内向きに突出する突起部が形成されているため、第１の固定片が遊技機前面部の第１の開口部と係合してパネル枠材が半開き状態に保持される。このパネル枠材の半開き状態においては、パネルのビス止め箇所がパネル枠材の開いた側にある場合などにパネル枠材からパネルの取り外し及び取り付けを行うことができるので、従来の如く作業台を移してパネルの取り外しなどを行ったり、遊技機の前面部に設けられた照明具の蛍光灯に当てないようにパネル枠材を慎重に取り付けたりする必要がなく、パネルの交換作業を容易に行うことができる。
【０００９】
請求項２に係る発明は、請求項１記載の遊技機における好ましい形態を提供するものである。すなわち、上記パネル枠材は矩形状に形成されてなり、このパネル枠材の下辺に上記第１の固定片が、パネル枠材の上辺に上記第２の固定片がそれぞれ形成される構成とする。この構成では、パネル枠材の上辺に形成された第２の固定片を遊技機前面部の第２の開口部から引き抜いてパネル枠材を半開き状態に傾けるときには、パネル枠材を持って半開き状態にまで傾けなくてもパネル枠材の自重の作用点と支点としてのパネル枠材下辺の第１の固定片との力学的な位置関係からパネル枠材がスムーズに半開き状態にまで傾いて保持されるため、パネルの交換作業をより容易に行うことができる。
【００１０】
請求項３に係る発明は、請求項２記載の遊技機において、上記パネル枠材の下辺にパネルの下縁を挟持する溝部を形成する一方、遊技機の前面部に、パネル枠材を取り付けた状態でこのパネル枠材との間にパネルを挟持する押え部を設ける構成とする。この構成では、パネル枠材を遊技機の前面部に取り付けた状態のときには、パネル枠材内側のパネルは、その下縁がパネル枠材の下辺側の溝部に挟持されているとともに、パネル枠材と遊技機前面部に設けた押え部との間に挟持されているため、パネルがずれ動くことはない。一方、パネル枠材の上辺側を開放した半開き状態のときには、その下辺側の溝部からパネルを上方に引き抜いたり、その溝部に新たなパネルの下縁を差し込んだりするだけでパネルの取り替えを行うことができ、ビス止めなどの作業を省略することができる。
【００１１】
【発明の実施の形態】
以下、本発明の実施の形態を図面に基づいて説明する。
図１及び図２は本発明の一実施形態に係る遊技機としてのスロットマシンＡの外観を示す。このスロットマシンＡの前面部を構成する前扉１は、筐体２の前方開口部２ａに左側をヒンジ側として開閉可能に取り付けられている。
【００１２】
上記前扉１にはその中央部に操作部３が設けられ、この操作部３上にはメダル投入口４、始動スイッチ５及び３つの停止スイッチ６，６，６などが適宜配置されている。前扉１の操作部３よりも上側の上部には上部ランプ７、上部パネル８、左右２つのスピーカ９，９及び中間パネル１０が設けられているとともに、前扉１の操作部３よりも下側の下部には下部パネル１１、メダル払出口１２及びメダル受け皿１３が設けられている。上部パネル８には配当表などが印刷されている。
【００１３】
上記中間パネル１０は、アクリル板のような透明な合成樹脂板や強化ガラス板などの裏面にシルクスクリーン印刷により絵柄や模様などを施してなり、この中間パネル１０の中央部には、シルクスクリーン印刷を施さず透明なままの部分である矩形状のリール表示窓１５が形成されている。このリール表示窓１５からは、筐体２内に配置されたリール装置の３つの回転リール１６，１６，１６の各外周面に一列に描かれた図柄（図示せず）が３つずつ見えるようになっており、始動スイッチ５の操作により各回転リール１６を回転させた後停止スイッチ６の操作によりその回転を停止させたときリール表示窓１５の有効ライン上に所定の図柄が揃うか否かによって遊技が行われる。また、中間パネル１０のリール表示窓１５の周囲からは、前扉１の裏面側に取り付けられたランプ板（図示せず）に設けた役物当選回数表示器１７や獲得枚数表示器１８などの表示器による表示及び各種の表示ランプ（図示せず）の点灯が透視可能になっている。
【００１４】
上記下部パネル１１は、タイトルパネルとして矩形状の合成樹脂板の裏面に機種名などを印刷したもので、パネル枠材２０を介して前扉１に取り付けられている。このパネル枠材２０は、図３ないし図５に示すように、下部パネル１１を内側に保持するように下部パネル１１の周縁に沿った四辺を有する矩形状ないし矩形枠状に形成されている。パネル枠材２０の下辺には後側つまり前扉１側に突出する左右２つの第１の固定片２１，２１が形成されているとともに、パネル枠材２０の上辺には同じく前扉１側に突出する左右２つの第２の固定片２２，２２が形成されている。上記各第１の固定片２１は、先端に外向き（下向き）に折れ曲がった略Ｌ字状のフック部２６を有しており、上記各第２の固定片２２は、先端に矢尻形の係止爪部２７を有している。
【００１５】
一方、上記前扉１には、図６に示すように、下部パネル１１を取り外した状態において、メダル受け皿１３に近い部位に上記第１の固定片２１，２１に対応して左右２つの横長スリット状の第１の開口部３１，３１が前方に開口して形成されているとともに、操作部３に近接した部位に上記第２の固定片２２，２２に対応して左右２つの横長スリット状の第２の開口部３２，３２が前方に開口して形成されている。
【００１６】
そして、上記パネル枠材２０の取り付けは、先ず第１の固定片２１，２１を第１の開口部３１，３１に挿入し、その後第２の固定片２２，２２を第２の開口部３２，３２に挿入することによって行われる。ここで、パネル枠材２０の取り付けを行う観点からは、第１の固定片２１の前扉１側への突出長さを第２の固定片２２のそれよりも大きくする必要性はないが、本実施形態の場合、図７に示すように第１の固定片２１を支点としてパネル枠材２０の半開き状態を実現可能にするために、第１の固定片２１は、第２の固定片２２よりも前扉１側への突出長さが大きく設定されているとともに、この第１の固定片２１にはフック部２６の折れ曲がり方向と反対の内向きに突出する突起部３３が形成されている。
【００１７】
また、上記パネル枠材２０の下辺には下部パネル１１の下縁を挟持する溝部３４が下辺の略全長に亘って形成されている。一方、前扉１には下部パネル１１を内側より照明する蛍光灯３５を囲む上方部及び左右両側方部にそれぞれ押え部３６，３７が設けられ、パネル枠材２０の取り付け状態ではこの押え部３６，３７とパネル枠材２０との間に下部パネル１１を挟持するようになっている。尚、押え部３６，３７は、部品点数を少なくするために前扉１の部材と樹脂一体成形にしてもよく、合成ゴムなどの弾性部材で成形し前扉１に取り付けてもよい。
【００１８】
次に、上記実施形態の作用・効果を説明するに、下部パネル１１の交換時にパネル枠材２０の上辺側の第２の固定片２２を前扉１の第２の開口部３２から引き抜いてパネル枠材２０を半開き状態に傾けたときには、下辺側の第１の固定片２１の前扉１側への突出長さが第２の固定片２２のそれよりも大きく設定されている上、この第１の固定片２１にフック部２６の折れ曲がり方向と反対の内向きに突出する突起部３３が形成されているため、第１の固定片２１が前扉１の第１の開口部３１と係合してパネル枠材２０が半開き状態に保持される（図７参照）。このパネル枠材２０の半開き状態では、パネル枠材２０の溝部３４に下縁が挟持された下部パネル１１を上方に引き抜いて取り外し、また新しい下部パネル１１の下縁を溝部３４に差し込んで取り付けることができるので、従来の如く作業台を移してパネル枠材２０から下部パネル１１の取り外しなどを行ったり、前扉１に設けられた蛍光灯３５に当てないようにパネル枠材２０を慎重に取り付けたりする必要はなく、交換作業の容易化を図ることができる。
【００１９】
その上、パネル枠材２０を半開き状態に傾けるときには、パネル枠材２０を持って半開き状態にまで傾けなくてもパネル枠材２０の自重の作用点と支点としてのパネル枠材２０下辺の第１の固定片２１との力学的な位置関係からパネル枠材２０がスムーズに半開き状態にまで傾いて保持されるため、交換作業の容易化をより図ることができる。また、パネル枠材２０の構成は、従来のものに比べて単に第１の固定片２１の突出長さを大きくし、かつ突起部３３を形成するだけの簡単なものであるので、実施化を容易に図ることができるという利点もある。
【００２０】
さらに、上記パネル枠材２０の半開き状態における下部パネル１１の取り付けは、単に下部パネル１１の下縁をパネル枠材２０の溝部３４に差し込んで挟持させるだけであるが、パネル枠材２０上辺側の第２の固定片２２を前扉１の第２の開口部３２に差し込んでパネル枠材２０を取り付けたときにはパネル枠材２０と前扉１の押え部３６，３７との間に下部パネル１１が挟持されるため、パネル枠材２０の取付状態における下部パネル１１のずれを確実に防止することができる。しかも、下部パネル１１の交換時にビス止めなどの作業を必要としないので、交換作業の容易化をより一層図ることができる。
【００２１】
尚、本発明は上記実施形態に限定されるものではなく、その他種々の実施形態を包含するものである。例えば上記実施形態では、パネル枠材２０に対する下部パネル１１の固定構造としては、単にパネル枠材２０の下辺に形成した溝部４３に下部パネル１１の下縁を挟持させるだけであるが、必要に応じて下部パネル１１の上縁などをパネル枠材２０にビス止めするようにしてもよい。この場合にも、パネル枠材２０の半開き状態でビス止めを緩めたり、締め付けたりすることができるので、交換作業の容易化を図ることができるのは勿論である。
【００２２】
また、上記実施形態では、パネル枠材２０の下辺に略Ｌ字状のフック部２６を有する第１の固定片２１を、上辺に係止爪部２７を有する第２の固定片２２をそれぞれ形成し、パネル枠材２０の上辺側が半開き状態に開放可能になるようにパネル枠材２０を前扉１に取り付ける構成にしたが、本発明は、パネル枠材２０の左右いずれか一方の側辺に略Ｌ字状のフック部を有する第１の固定片を、他方の側辺に係止爪部を有する第２の固定片をそれぞれ形成し、パネル枠材２０の左右一方の側辺側が半開き状態に開放可能になるようにパネル枠材２０を前扉１に取り付ける構成にしてもよい。
【００２３】
さらに、上記実施形態では、スロットマシンＡの下部パネル１１を前扉１にパネル枠材２０を介して取り付ける場合について述べたが、本発明は、スロットマシンＡの上部パネル８を前扉１にパネル枠材を介して取り付ける場合、あるいはスロットマシンＡ以外の遊技機の前面部にパネルをパネル枠材を介して取り付ける場合などにも同様に適用できるのは言うまでもない。
【００２４】
【発明の効果】
以上のように、本発明の遊技機によれば、パネルの交換時にパネル枠材の第２の固定片を遊技機前面部の第２の開口部から引き抜いてパネル枠材を半開き状態に傾けたときには、第１の固定片が遊技機前面部の第１の開口部と係合してパネル枠材が半開き状態に保持されるため、従来の如く作業台を移したり、パネル枠材を慎重に取り付けたりする手間を省くことができ、交換作業の容易化を図ることができる。その上、構成は従来のものに比べて単に第１の固定片の突出長さを大きくし、かつ突起部を形成するだけの簡単なものであるので、実施化を容易に図ることができる。
【００２５】
特に、請求項２に係る発明では、パネルの交換時にはパネル枠材を持って半開き状態にまで傾けなくてもパネル枠材の自重の作用点と支点との力学的な位置関係からパネル枠材の上辺側が開放した半開き状態にまでスムーズに傾いて保持されるため、交換作業の容易化をより図ることができる。
【００２６】
また、請求項３に係る発明では、パネル枠材の取付状態におけるパネルのずれを防止しながら、パネル枠材の半開き状態におけるパネルの取り替えを、ビス止めなどの作業を要することなく容易に行うことができるので、交換作業の容易化をより一層図ることができる。
【図面の簡単な説明】
【図１】本発明の実施形態に係るスロットマシンの外観を示す正面図である。
【図２】同側面図である。
【図３】図１のＸ−Ｘ線における断面図である。
【図４】下部パネル取付用のパネル枠材の正面図である。
【図５】図４のＹ−Ｙ線における拡大断面図である。
【図６】スロットマシンの前扉から下部パネル及びパネル枠材を取り外した状態を示す正面図である。
【図７】パネル枠材の半開き状態を示す図３相当図である。
【符号の説明】
Ａ    スロットマシン
１    前扉（前面部）
１１    下部パネル
２０    パネル枠材
２１    第１の固定片
２２    第２の固定片
２６    フック部
２７    係止爪部
３１    第１の開口部
３２    第２の開口部
３３    突起部
３４    溝部
３６，３７    押え部
【図１】
2004254967.tif 000003
【図２】
2004254967.tif 000004
【図３】
2004254967.tif 000005
【図４】
2004254967.tif 000006
【図５】
2004254967.tif 000007
【図６】
2004254967.tif 000008
【図７】
2004254967.tif 000009